(57)【特許請求の範囲】
【請求項１】
一方主面に間隔ｎのピッチで平行に形成された線状の一方主面拡散部と、他方主面に間隔ｎのピッチで平行に形成された線状の他方主面拡散部と、
を有する拡散部を備え、
前記一方主面側に形成される一方主面拡散部と他方主面側に形成される他方拡散部とは、それぞれ互い違いに配置され、かつ主面側から視認した場合にすべて等間隔に配置されてなることを特徴とする導光板。
【請求項２】
一方側主面に交互に間隔ｎ及び間隔２ｎのピッチで平行に形成された線状の一方主面拡散部と、
他方側主面に間隔３ｎのピッチで平行に形成された線状の他方主面拡散部と、
を有する拡散部を備え、
前記一方主面側に形成される一方主面拡散部及び他方主面側に形成される他方主面拡散部は、それぞれ互い違いに配置され、かつ主面から視認した場合にすべて等間隔に配置されてなることを特徴とする導光板。
【請求項３】
前記ｎは、３．０ｍｍ〜５．０ｍｍであることを特徴とする請求項１又は２に記載の導光板。
【請求項４】
前記一方主面拡散部及び前記他方主面拡散部は、０．１ｍｍ〜１．０ｍｍの幅であることを特徴とする請求項１から３のいずれか１項に記載の導光板。
【請求項５】
請求項１〜４のいずれか１項に記載の導光板を使用した表示看板。
【発明の詳細な説明】
【技術分野】
【０００１】
本発明は、導光板及び表示看板に関する。
【背景技術】
【０００２】
本出願人は、互いに対向する出射主面と反射主面を有し、点状光源から略直線状に導入された光線を前記反射主面に向けて反射する反射側面を有し、前記出射主面から面発光分布の光が射出される導光板について提案している。かかる導光板は均一な光を主面から出射させる導光板として有効な発明である。
【先行技術文献】
【特許文献】
【０００３】
【特許文献１】特開２００７−４２３１９号公報
【発明の概要】
【発明が解決しようとする課題】
【０００４】
本発明は、線状の拡散部を有する導光板において、導光板の側面に配置される光源から入射される光によって縞模様状に明るさの強弱を表現させて目立ち易くすることができ、かつ光の弱い部分であっても暗すぎることのない導光板及びこの導光板を使用した表示看板を提供することを主目的とする。
【課題を解決するための手段】
【０００５】
本発明は、上述の目的を達成するために以下の手段を採った。
【０００６】
本発明の導光板は、
一方主面に間隔ｎのピッチで平行に形成された線状の一方主面拡散部と、他方主面に間隔ｎのピッチで平行に形成された線状の他方主面拡散部と、
を有する拡散部を備え、
前記一方主面側に形成される一方主面拡散部と、他方主面側に形成される拡散部に形成される他方拡散部は、それぞれ互い違いに配置され、かつ主面から視認した場合にすべて等間隔に配置されてなることを特徴とする。
【０００７】
一方主面側に平行に形成された線状の一方主面拡散部と、他方主面側に平行に形成された線状の他方主面拡散部とを形成することで、正面側に出射する光の強さがそれぞれ異なるので、明るさの異なる縞状に面発光をする導光板を提供することができる。また、正面側と背面側がいずれもｎのピッチで平行に形成されており、かつ主面から視認した場合にすべて等間隔に配置されてなるので、等間隔の縞の明暗が形成され、しかも、いずれかが明るすぎたり、暗すぎたりすることのない導光板を提供することができる。このように縞模様状に明るさの強弱を表現させることにより、均一な明るさを有する導光板を使用した看板と比較して目立ち易くすることができる。
【０００８】
本発明の導光板は、
一方側主面に交互に間隔ｎ及び間隔２ｎのピッチで平行に形成された線状の一方主面拡散部と、
他方側主面に間隔３ｎのピッチで平行に形成された線状の他方主面拡散部と、
を有する拡散部を備え、
前記一方主面側に形成される一方主面拡散部及び他方主面側に形成される他方主面拡散部は、それぞれ互い違いに配置され、かつ主面から視認した場合にすべて等間隔に配置されてなることを特徴とする。
【０００９】
本発明にかかる導光板によれば、一方主面側に平行に形成された線状の一方主面拡散部と、他方主面側に平行に形成された線状の他方主面拡散部とを形成することで、正面側に出射する光の強さがそれぞれ異なるので、明るさの異なる縞状に面発光をする導光板を提供することができる。また、正面側に間隔３ｎのピッチで平行に形成された線状の正面側拡散部及び背面側に交互に間隔ｎ及び間隔２ｎのピッチで平行に形成された背面側拡散部を設けることで、一方主面と他方主面とのそれぞれの拡散部は１対２の割合で配置されることになり、縞の明暗部において、いずれかが明るすぎたり、暗すぎたりすることのない導光板を提供することができる。
【００１０】
また、本発明にかかる導光板において、前記ｎは、３．０〜８．０ｍｍであることを特徴とするものであってもよい。かかる範囲に設定することによって、厚さが１．０ｍｍ〜８．０ｍｍ程度までの導光板を使用した場合に、明るすぎたり、暗すぎたりすることのない縞状の面発光をする導光板を提供することができる。
【００１１】
さらに、本発明にかかる導光板において、前記一方主面拡散部及び前記他方主面拡散部は、０．１ｍｍ〜１．０ｍｍの幅であることを特徴とするものであってもよい。かかる構成を採用することによって、明るすぎたり、暗すぎたりすることのない縞状の面発光をする導光板を提供することができる。
【００１２】
また、本発明にかかる表示看板は、上述した導光板を使用したことを特徴とする。かかる構成を採用することによって、光の縞模様を利用した表示看板とすることができる。
【図面の簡単な説明】
【００１３】
【図１】図１は、実施形態にかかる表示看板１００の垂直断面を示す断面図である。
【図２】図２は、実施形態にかかる表示看板１００の水平断面を示す断面図である。
【図３】図３は、導光板１２の正面図及び断面図である。
【図４】図４は、導光板１２の別実施形態を示す正面図及び断面図である。
【図５】図５は、導光板枠５２ｂと光源部材２２を示す斜視図である。
【図６】図６は、導光板１２の別実施形態を示す正面図である。
【図７】図７は、導光板１２の別実施形態を示す正面図である。
【発明を実施するための形態】
【００１４】
次に、本発明の実施形態にかかる表示看板１００について詳しく説明する。以下に説明する実施の形態及び図面は、本発明の実施形態の一部を例示するものであり、これらの構成に限定する目的に使用されるものではなく、本発明の要旨を逸脱しない範囲において適宜変更することができる。なお、各図において対応する構成要素には同一又は類似の符号を付す。また、表示看板１００の構成部材として導光板１２の説明を同時にするので、表示看板１００の説明によって導光板１２の説明に代える。
【００１５】
実施形態にかかる表示看板１００が、図１及び図２に示されている。図１及び図２は、表示看板１００の断面図（視認性明瞭化のため、ハッチングは一部省略してある。）である。本実施形態にかかる表示看板１００は、主として、表示部１０と、この表示部１０を固定する固定枠５０と、これらを支持すると台座部９０を有している。
【００１６】
表示部１０は、背面側から反射板１１、導光板１２、表示情報が表面に表現された表示板１３及びこれらを保護するための強化ガラス１４の順に配設されている。
【００１７】
反射板１１は、白色の板材の他、乳半板に反射シートを貼り付けたものであってもよい。明暗差をより明確にするために乳半板を使用するとよい。乳半板は、厚さ３．０ｍｍ〜８．０ｍｍ程度の乳白色をしたアクリル製の板であり、背面側に光が出射することによる光の減衰を低減するためのものである。また、導光板１２と反射板１１とは、２．０ｍｍ以上５ｃｍ以下程度の間隔を設けることが好ましい。導光板１２と反射板１１との間に間隔を設けることによって、正面から視認した際の明暗をより明確にすることができる。
【００１８】
導光板１２は、図３に示すように、厚さが約４．０ｍｍ〜約８．０ｍｍの略四角形の板状に形成された透過性を有するメタクリル樹脂製の板である。導光板１２の一方側主面及び他方側主面には、それぞれ拡散部３０を有している。拡散部３０は、例えば、レーザー加工によって０．１ｍｍ〜１．０ｍｍ程度の幅に形成された直線からなり、側面から入射された光を正面に拡散しつつ出射する機能を有する。勿論、拡散部は、レーザー加工に限定されるものではなく、切削加工であってもよいし、シルク印刷等によって凸状に印刷された拡散部であってもよい。
【００１９】
拡散部３０は、例えば、図３に示すように、一方主面３１に形成された一方主面拡散部３１ａと、他方主面３２に形成された他方主面拡散部３２ａとを有している。一方主面拡散部３１ａと他方主面拡散部３２ａは、例えば、いずれも同一ピッチｎで平行に形成され、一方主面拡散部３１ａと他方主面拡散部３２ａが交互に等間隔で形成したものが挙げられる。かかる構成を採用することによって、等間隔の光の強弱がある導光板１２を提供することができる。
【００２０】
また、別の形態として、図４に示すように、一方主面拡散部３１ａは、間隔ｎ及び間隔２ｎのピッチが交互になるように０．１ｍｍの幅の直線で平行に形成されており、他方主面拡散部３２ａは間隔３ｎのピッチで１．０ｍｍの幅の直線で平行に形成されているものであってもよい。これら一方主面拡散部３１ａと他方主面拡散部３２ａは、主面側から視認した場合にすべての拡散部３０が同じ間隔となるように配置される。具体的には、一方主面拡散部３１ａの間隔２ｎの間に他方主面拡散部３２ａが主面側から見た場合に中央になるように配置され、連続する一方主面拡散部３１ａが２本と、他方主面拡散部３２ａが１本とが互い違いに配置され、それぞれの間隔はｎのピッチとなる。ここでｎは、正の数字である。
【００２１】
拡散部３０は、好ましくは、ｎ＝２〜８ｍｍ程度がよい。すなわち、ｎ＝２の場合は、一方主面拡散部３１ａは、交互に間隔２ｍｍ及び間隔４ｍｍのピッチで、他方主面拡散部３２ａは間隔６ｍｍのピッチで平行に形成される。ｎ＝８の場合は、一方主面拡散部３１ａは、交互に間隔８ｍｍ及び間隔１６ｍｍのピッチで、他方主面拡散部３２ａは間隔２４ｍｍのピッチで平行に形成される。かかる範囲であると、明るすぎたり、暗すぎたりすることのない縞状の面発光をする導光板を提供することができる。このように縞模様状に明るさの強弱を表現させることにより、均一な明るさを有する導光板を使用した看板と比較して目立ち易くすることができる。
【００２２】
表示板１３は、正面側から表示情報が視認できるように、板部材に、表示情報を有するフィルム１３ａが貼着されている。板部材としては、透明な合成樹脂板にフィルムとして拡散シートを使用したものや、乳半板に透明なシートを使用したもの、その他の組み合わせのものを使用することができる。フィルム１３ａを貼着する面は、正面側であっても又は背面側であっても構わない。フィルム１３ａは、透明又は半透明であり、背面側に配置された導光板１２からの光を一部透過して正面側に出射する。これにより、表示情報が明るく表示され、非常に見やすい看板として使用することができる。
【００２３】
強化ガラス１４は、最も正面側に配置され、背面側に配置される表示板１３を保護するためのものであり、厚さ５．０ｍｍ〜１０．０ｍｍ程度の強化ガラスで作製される。
【００２４】
固定枠５０は、周囲を囲うための枠材５１と、この枠材５１の内周側に設けられた、前述した種々の表示部１０を保持するための保持部材５２を主として備えている。
【００２５】
枠材５１は、スチール製の板部材であり、表示部１０の全周囲に設けられる。保持部材５２は、背枠５２ａ、導光板枠５２ｂ、中枠５２ｃ、押枠５２ｄ及び強化ガラス用枠５２ｅを備えており、導光板枠５２ｂ以外は、表示部の全周囲に設けられ、導光板枠５２ｂのみが表示部１０の側面のみに配置される。背枠５２ａ、中枠５２ｃ及び押枠５２ｄは、いずれもスチール板を折り曲げ加工して作製されており、背枠５２ａと中枠５２ｃとで反射板１１及び導光板枠５２ｂを、中枠５２ｃと押枠５２ｄとで表示板１３を、それぞれ挟むようにして保持することができる。導光板枠５２ｂは、図５に示すように、断面が略Ｕ字形状のＣ型鋼からなり、Ｃ型鋼の凹部の底面に基板２２ａが両面テープ等で貼着されている。このため、ＬＥＤ２２ｂが使用により発熱した場合であっても、基板２２ａを介してＣ型鋼に熱が伝わり、高温による誤作動や破損の可能性を未然に低減することができる。導光板枠５２ｂの凹部の幅は導光板１２の厚さと略同一又は、やや広く形成されているため、導光板枠５２ｂに導光板１２の側面に嵌め込むことにより、容易に光源部材２２を導光板１２に取り付けることができる。光源部材２２は、図５に示すように、基板２２ａと、この基板２２ａに所定の間隔で実装された複数の表面実装型の白色の平面発光型ＬＥＤ２２ｂとからなる。強化ガラス用枠５２ｅは強化ガラス１４を挟むように固定する枠材であり、側方側に設けられた蝶番（図示しない。）によって開閉自在に設けられている。なお、本実施形態における表示部１０の固定方法は、一実施形態にすぎず、これらの固定方法に限定するものではなく、種々の固定方法を使用することができる。なお、各保持部材５２と表示部１０との間には、図１に示すように種々のクッション材又はシーリング材７０を使用することができる。例えば、天然ゴムや合成ゴム、シリコーン樹脂やポリウレタン系樹脂等の種々の樹脂を使用することができる。好ましくは防水効果を有するスポンジ状の部材を使用するとよい。
【００２６】
台座部９０は、固定枠５０を固定する台であり、前記光源部材２２に電力を供給するための電源装置８５等を備えている。
【００２７】
なお、本発明は上述した実施の形態に何ら限定されることはなく、本発明の技術的範囲に属する限り種々の態様で実施し得ることはいうまでもない。
【００２８】
上述した実施の形態においては、拡散部３０は、直線状に形成しているが、これに限定されるものではなく、図６に示すように、拡散部３０が屈曲線からなるジグザグの線状のものであってもよいし、図７に示すように、拡散部３０が波線のような曲線であってもよい。すなわち、線状に形成されており、かつこれら線状の拡散部が平行に形成されている形態であればよい。
【００２９】
上述した実施の形態では、導光板１２は透過性を有するメタクリル樹脂製の板であるものとしたが、透過性を有する素材であればメタクリル樹脂製に限定されるものでなく、メチルメタクリレートやエチルメタクリレート等のメタクリル樹脂以外にも、例えば、メチルアクリレート、エチルアクリレート等のアクリル製樹脂、ＡＢＳ樹脂、ポリカーボネート、ポリエチレン等の種々の素材を用いることができる。いずれの場合であっても、上述した実施の形態と同様の効果が得られる。
【００３０】
上述した実施の形態では、ＬＥＤ２２ｂは、平面発光型の白色の発光ダイオードとしたが、平面発光型に限定されるものでなく、側面発光型、砲弾型等いずれのタイプであってもよい。また、ＬＥＤ２２ｂの光の色は、白色に限定するものではなく、例えば、赤色、橙色、黄色、緑色、青色、藍色又は紫色のいずれかの色若しくはそれらの色の組み合わせ等であってもよい。いずれの場合であっても、上述した実施の形態と同様の効果が得られる。
【産業上の利用可能性】
【００３１】
上述した実施の形態で示すように、看板等の表示装置として利用することができる。
【符号の説明】
【００３２】
１０…表示部、１１…反射板、１２…導光板、１３…表示板、１３ａ…フィルム、１４…強化ガラス、２２…光源部材、２２ａ…基板、２２ｂ…ＬＥＤ、３０…拡散部、３１…一方主面、３１ａ…一方主面拡散部、３２…他方主面、３２ａ…他方主面拡散部、５０…固定枠、５１…枠材、５２…保持部材、５２ａ…背枠、５２ｂ…導光板枠、５２ｃ…中枠、５２ｄ…押枠、５２ｅ…強化ガラス用枠、７０…シーリング材、９０…台座部、１００…表示看板
【図１】
0006523077.tif 000002
【図２】
0006523077.tif 000003
【図３】
0006523077.tif 000004
【図４】
0006523077.tif 000005
【図５】
0006523077.tif 000006
【図６】
0006523077.tif 000007
【図７】
0006523077.tif 000008